(57)【要約】【課題】美観を保ちつつ配線作業性を向上させることができること。【解決手段】分電盤１は、前面が開口する箱体２と、箱体２内に収納される回路遮断器たる主幹ブレーカ４、及び多数の分岐ブレーカ５とを備える。箱体２は、背面板２１と、背面板２１の周縁から前方に立設された上側壁２２と、下側壁２３と、左側壁２４と、右側壁２５とで構成される。箱体２の上側壁２２には、略コ字形状に形成された溝７が箱体２前面の開口と連通して設けられる。溝７は、少なくとも主幹ブレーカ４に接続される図示しない電力線を箱体２内に配線するためのものである。そして、溝７の左縁部７ａ、右縁部７ｂ、後縁部７ｃには外力に対する上側壁２２の変形を抑制する補強手段たるＬ字金具８Ａ，８Ｂ，８Ｃが各々配設される。従って、多数の電力線が溝７の左縁部７ａや、右縁部７ｂ、後縁部７ｃに圧し掛かっても、電力線の自重により撓んでしまうのを防ぐことができる。【選択図】図１
2011036037.tif 000002
【特許請求の範囲】
【請求項１】
背面板と背面板の周縁から前方に立設された複数の側壁とで構成され前面が開口する箱
体と、箱体内に収納される回路遮断器とを備え、
箱体の一側壁には少なくとも回路遮断器に接続される電力線を箱体内に配線するための
略コ字形状又は略Ｕ字形状に形成された溝が箱体前面の開口と連通して設けられ、
溝の周縁部には外力に対する側壁の変形を抑制する補強手段が配設されることを特徴と
する分電盤。
【請求項２】
溝の周縁部又は補強手段のうち電力線が当接する少なくとも何れか一方は、電力線の入
線方向に沿って曲面形状に形成されることを特徴とする請求項１記載の分電盤。
【発明の詳細な説明】
【技術分野】
【０００１】
本発明は、ビル或いは工場等に設置される分電盤に関するものである。
【背景技術】
【０００２】
従来より、ビル或いは工場等に設置される非住居用の分電盤が種々提供されている（例
えば特許文献１参照）。この種の分電盤は、背面板と背面板の周縁から前方に立設された
複数の側壁とで構成されて前面が開口する箱体と、箱体内に収納される回路遮断器とを備
える。そして、箱体の上側壁には１乃至複数の配線口が円形状に貫設されている。
【０００３】
ところで、分電盤の施工時に商用電源に繋がる電力線を回路遮断器に接続する際には当
該電力線を配線口に挿通して入線を行っている。しかし、近年では分電盤内に収納される
回路遮断器の数が増加傾向にあるため、これに伴い配線される電力線の数も多くなりつつ
ある。そのため、これらの電力線を１本１本配線口に挿通させる作業は非常に手間のかか
るもので作業性が悪いという問題があった。
【０００４】
これに対して従来より、配線口の代替として箱体の上側壁に略コ字形状又は略Ｕ字形状
に形成された溝が箱体前面の開口と連通して設けられた分電盤が提供されている。この分
電盤は、従来のように配線口に対して電力線を上下方向に挿通させるのではなく、溝に対
して電力線を箱体前面から背面板に向かって押し入れることで入線を行うことができ作業
性に優れている。
【先行技術文献】
【特許文献】
【０００５】
【特許文献１】特開２００３−１６４０２１号公報
【発明の概要】
【発明が解決しようとする課題】
【０００６】
しかしながら、上述した従来の分電盤は、略コ字形状又は略Ｕ字形状に形成される溝の
周縁部に電力線が当接すると、電力線の自重により溝の周縁部が撓んでしまい美観を損ね
る恐れがあった。具体的に説明すると、ビルや工場等の分電盤に配線される電力線の重さ
は、一般住宅用の分電盤に配線される電力線のものと比べて大きく、また、電力線は溝に
対して真上から垂下するものばかりではなく、そのほとんどが溝に対して左右方向の何れ
か寄りの位置から垂下している。そのため、入線の際には重い電力線を撓ませながら押し
入れる必要があり、自ずと溝の周縁部に電力線が当接してしまう。そして、多数の電力線
が溝の周縁部に圧し掛かることで大きく変形してしまう。
【０００７】
本発明は上記事由に鑑みて為されたものであり、その目的は、美観を保ちつつ配線作業
性を向上させることができる分電盤を提供することにある。
【課題を解決するための手段】
【０００８】
請求項１の発明は、上記目的を達成するために、背面板と背面板の周縁から前方に立設
された複数の側壁とで構成され前面が開口する箱体と、箱体内に収納される回路遮断器と
を備え、箱体の一側壁には少なくとも回路遮断器に接続される電力線を箱体内に配線する
ための略コ字形状又は略Ｕ字形状に形成された溝が箱体前面の開口と連通して設けられ、
溝の周縁部には外力に対する側壁の変形を抑制する補強手段が配設されることを特徴とす
る。
【０００９】
この発明によれば、従来の分電盤と同様に略コ字形状又は略Ｕ字形状に形成された溝が
設けられ、更に溝の周縁部には外力に対する側壁の変形を抑制する補強手段が配設される
ので、多数の電力線が溝の周縁部に圧し掛かっても電力線の自重により周縁部が撓んでし
まうのを防ぐことができる。従って、美観を保ちつつ配線作業性を向上させることができ
る。
【００１０】
請求項２の発明は、請求項１の発明において、溝の周縁部又は補強手段のうち電力線が
当接する少なくとも何れか一方は、電力線の入線方向に沿って曲面形状に形成されること
を特徴とする。
【００１１】
この発明によれば、電力線が溝の周縁部又は補強手段に圧し掛かったり擦れたりしても
電力線の芯線を被覆する絶縁部に傷が付くのを防ぐことができる。従って、電力線の破損
を防いで漏電を防止することができる。
【発明の効果】
【００１２】
本発明では、美観を保ちつつ配線作業性を向上させることができるという効果がある。
【図面の簡単な説明】
【００１３】
【図１】本発明の実施形態の平面図で、（ａ）は正面図、（ｂ）は上面図である。
【図２】同上における箱体の要部正面図である。
【図３】同上における箱体の要部底面図である。
【図４】同上における箱体の要部断面図である。
【図５】同上における箱体の要部断面図である。
【発明を実施するための形態】
【００１４】
以下、本発明の実施形態について、図１〜図５を参照して説明する。尚、以下の説明で
は、特に断りが無い限り、図１（ａ）において上下左右方向を規定し、図１（ａ）の正面
を前面として説明を行う。本実施形態の分電盤１は、図１（ａ）に示すように、取付枠３
と、主幹ブレーカ４及び多数の分岐ブレーカ５と、接続部６と、これらを内部に収納する
箱体２とを備える。
【００１５】
箱体２は、図１に示すように、縦長の矩形板状の背面板２１と、背面板２１の周縁から
前方に立設される４つの上側壁２２、下側壁２３、左側壁２４、右側壁２５とから構成さ
れて前面が開口する。尚、箱体２の前面には開閉自在に取り付けられる図示しない蓋板が
配設される。また、上側壁２２には、従来技術で述べた通り、略コ字形状に形成された溝
７が箱体２前面の開口と連通して設けられており、溝７を通じて商用電源（図示せず）と
接続する電力線（図示せず）が箱体２内に入線される。そして、本実施形態の溝７の周縁
部には外力に対する上側壁２２の変形を抑制する補強手段たる３本のＬ字金具８（８Ａ，
８Ｂ，８Ｃ）が配設される。尚、Ｌ字金具８についての詳細は後述する。
【００１６】
取付枠３は、図１（ａ）に示すように、各々細長矩形板状に形成された４本の桟部３１
と、複数の基板３２とから構成される。桟部３１は、長手方向両端部に挿通孔（図示せず
）が貫設され、更に両端部の挿通孔の間に多数のビス孔３１ａが上下方向一列に穿設され
る。そして、桟部３１の長手方向を上下方向に向けて、当該挿通孔に挿通する取付ネジ９
が背面板２１に穿設されるネジ孔（図示せず）に螺合することで、４本の桟部３１が背面
板２１の左右方向中心部より右側と左側とに２本ずつ所定の間隔をあけて配置される。
【００１７】
複数の基板３２は、図１（ａ）に示すように、いずれも矩形板状に形成され、互いの上
下方向の寸法は異なる。但し、左右方向の寸法は、背面板２１の左右方向中心部より右側
並びに左側に配置される２本の桟部３１，３１間と等しくしている。基板３２の左右両端
部には、各々挿通孔（図示せず）が上下方向一列に貫設される。そして、当該挿通孔に挿
通するビス１０が多数の中から適宜選択される桟部３１のビス孔３１ａに螺合することで
各基板３２が左側の桟部３１，３１、又は右側の桟部３１，３１に取り付けられる。尚、
以下の説明では、複数の基板３２を上下方向の寸法の違いにより、１つの小基板３２ａと
、１つの中基板３２ｂと、２つの大基板３２ｃとに区別して説明する。
【００１８】
主幹ブレーカ４及び多数の分岐ブレーカ５は、一般的な分電盤に配設されるものと同様
である。すなわち、主幹ブレーカ４は漏電ブレーカであり、漏電を検出すると主幹路を導
通状態から非導通状態へと遮断する回路遮断器である。一方、分岐ブレーカ５は、各分岐
路での短絡電流や過負荷電流といった過電流を検出すると分岐路ごとに遮断する回路遮断
器である。
【００１９】
主幹ブレーカ４は、図１（ａ）に示すように、上端部と下端部とに各々３つの一次側端
子４１と３つの二次側端子４２とが並設され、右側の桟部３１，３１の上下方向中心部よ
りやや上方寄りに配置される中基板３２ｂに載置される。本実施形態では、単相３線式に
て商用電源より給電されていて、図示しない３本の電力線（１本の中性極電力線と２本の
電圧極電力線）が溝７を通じて箱体２内に入線され、主幹ブレーカ４の３つの一次側端子
４１に各々接続される。
【００２０】
分岐ブレーカ５は、図１（ａ）に示すように、全体として横長の直方体形状に形成され
た器体を有している。分岐ブレーカ５の左右方向の一端部には、３つの刃受穴（図示せず
）が前後方向に並設され、他端部には、負荷回路が接続される負荷端子（図示せず）が配
設される。当該負荷端子は、図示しない電線挿入口から電線の先端部が挿入されるだけで
電線との電気的及び機械的接続が行われる、所謂速結端子からなる。
【００２１】
上述の様な分岐ブレーカ５は、接続部６に対してプラグイン式による接続が可能となっ
ている。すなわち、分岐ブレーカ５は、一端部側の３つの刃受穴を後述する接続部６の３
つの導電バー（図示せず）に向けて差込接続することで容易に取り付けられ、主幹ブレー
カ４の３つの二次側端子４２との電気的接続が完了する。そして、多数の分岐ブレーカ５
が、図１（ａ）に示すように、箱体２の左右方向中心部より右側と左側とに各々上下方向
に並んで配置される。
【００２２】
接続部６は、図１（ａ）に示すように、全体として箱体２の左右方向中心部より右側に
配設される接続部６Ａと、左側に配設される接続部６Ｂとから構成される。
【００２３】
先ず、接続部６Ａは、図１（ａ）に示すように、３本の連結バー６１と、３本の導電バ
ー（図示せず）と、接続台６２と、２つの保持台６３とから構成される。連結バー６１は
、各々主幹ブレーカ４の二次側端子４２に接続された基端部から下方に延出され、且つ先
端部が右方に延出されたＬ字形状の金属板からなる。このとき、３本の連結バー６１は、
前後方向に対して互いに接触しない程度に隙間をあけて並設される。また、連結バー６１
の先端部には、挿通孔（図示せず）が貫設される。３本の導電バーは、各々細長矩形状の
金属板からなり、各々の長手方向の上端部、略中心部、及び下端部が接続台６２、保持台
６３，６３に固定されることで、３本の導電バーが前後方向に並んで一体となっている。
このとき、３本の導電バーは、厚み方向を前後方向に向けて隣接する導電バー同士が互い
に接触しない程度に隙間をあけて並んでいる。
【００２４】
接続台６２及び保持台６３，６３は、箱体２の上下方向略中心部から下方部に亘って配
設される大基板３２ｃの右端上部、中心部、下部に各々固定される。すなわち、前後方向
に並ぶ３本の導電バーが、長手方向を上下方向に向けながら箱体２内に配置される。そし
て、３本の連結バー６１の挿通孔に各々挿通される３本の端子ネジ１４が、接続台６２の
段部状に形成された前面に穿設される３箇所のネジ孔（図示せず）に各々螺合することに
より、３本の連結バー６１が接続台６２を介して３本の導電バーと各々電気的に接続され
る。
【００２５】
一方、接続部６Ｂは、図１（ａ）に示すように、端子台６４と、３本の連結バー６５と
、３本の導電バー（図示せず）と、接続台６２と、２つの保持台６３とから構成される。
端子台６４は、箱体２の上下方向の略中心部に配設される小基板３２ａに載置される。ま
た、端子台６４は、上部と下部とに各々３つの一次側端子６４ａと３つの二次側端子６４
ｂとを備える。３つの一次側端子６４ａは、図示しない３本の電力線を通じて右側の主幹
ブレーカ４の３つの二次側端子４２と各々電気的に接続される。尚、前記電力線は、例え
ば、背面板２１に貫設される孔部（図示せず）を通じて配線される。
【００２６】
３本の連結バー６５は、各々端子台６４の３つの二次側端子６４ｂに接続された基端部
から下方に延出され、且つ先端部が左方に延出されたＬ字形状の金属板からなり、前後方
向に対して互いに接触しない程度に隙間をあけて並設される。接続部Ｂの図示しない３本
の導電バー、接続台６２及び２つの保持台６３は、箱体２の左右方向中心部を中心に接続
部Ａのものと左右対称に配置される。但し、それ以外については接続部Ａのものと共通で
あるので以降の説明を省略する。
【００２７】
そして、上述の様な分電盤１に配設されるＬ字金具８について図２〜図４を参照しなが
ら具体的に説明する。尚、以下の説明では溝７の周縁部を左縁部７ａ、右縁部７ｂ、及び
後縁部７ｃの３つに分けて説明する。先ず、Ｌ字金具８Ａ，８Ｂは、図２〜図４に示すよ
うに、各々短手方向を左右方向に向けて長手方向を前後方向に向けた一片８ａを備える。
また、Ｌ字金具８Ａは、一片８ａの右端部より下方へ延出する他片８ｂを備え、他片８ｂ
の右側面は、溝７の左縁部７ａと略面一にしている。一方、Ｌ字金具８Ｂは、一片８ａの
左端部より下方へ延出する他片８ｂを備え、他片８ｂの左側面は、溝７の右縁部７ｂと略
面一にしている。そして、Ｌ字金具８Ａ，８Ｂの全体として長手方向の寸法は、上側壁２
２の前面から溝７の後縁部７ｃまでの距離と略等しくしている。Ｌ字金具８Ａ，８Ｂの一
片８ａ及び他片８ｂには、各々長手方向に沿ってビス孔１２が貫設されており、Ｌ字金具
８Ａ，８Ｂは、一片８ａのビス孔１２を通じて上側壁２２の底面にビス１１でビス止めさ
れる。
【００２８】
次にＬ字金具８Ｃは、図２〜図４に示すように、各々短手方向を前後方向に向けて長手
方向を左右方向に向けた一片８ａと、一片８ａの前端部より下方へ延出する他片８ｂとを
備える。Ｌ字金具８Ｃの一片８ａ及び他片８ｂには、Ｌ字金具８Ａ，８Ｂのものと同様に
各々長手方向に沿ってビス孔１２が貫設される。そして、図３及び図４に示すように、細
長矩形板状の突板１３が、上側壁２２と面一にして且つ左右のＬ字金具８Ａ，８Ｂの他片
８ｂ，８ｂと密接して溝７の後縁部７ｃに固定されており、Ｌ字金具８Ｃは、他片８ｂの
前面と突板１３の前端部とを面一にしながら、一片８ａのビス孔１２を通じて突板１３の
裏面にビス１１でビス止めされる。
【００２９】
以下、本実施形態の分電盤１の作用について説明する。本実施形態の分電盤１の箱体２
は、従来の分電盤の箱体と同様に略コ字形状に形成された溝７が設けられ、更に溝７の左
縁部７ａ、右縁部７ｂ、後縁部７ｃには、従来の分電盤には無い、外力に対する上側壁２
２の変形を抑制する補強手段たる３つのＬ字金具８（８Ａ，８Ｂ，８Ｃ）が配設される。
そのため、多数の電力線が溝７の左縁部７ａや、右縁部７ｂ、後縁部７ｃに圧し掛かって
も、電力線の自重により周縁部が撓んでしまうのを防ぐことができる。従って、美観を保
ちつつ、配線作業性を向上させることができる。
【００３０】
また、本実施形態の接続部６は、上述した通り箱体２の左右方向中心部より右側に配置
される接続部Ａと左側に配置される接続部Ｂとから構成され、図１（ａ）に示すように、
多数の分岐ブレーカ５が各々の負荷端子を前記中心部に向けながら箱体２内の左側と右側
とに並設される。従って、分岐ブレーカ５の負荷端子に各々接続される全ての電線（図示
せず）を前記中心部に集約させることができ、その真上に位置する溝７を通じて箱体２外
部へ導出することができるので配線作業性に優れている。
【００３１】
ところで、３つのＬ字金具８（８Ａ，８Ｂ，８Ｃ）の他片８ｂの下端部は、図１〜図４
に示すように尖っているため、電力線がＬ字金具８に圧し掛かったり擦れたりすると、電
力線の芯線を被覆する絶縁部に傷が付いて芯線が露出し漏電する恐れがある。これに対し
て、図５に示すように、Ｌ字金具８Ａ〜８Ｃの他片８ｂの下端部が、電力線の入線方向（
上下方向）に沿って曲面形状に形成（図中では８Ｃのみ図示）されることで、電力線がＬ
字金具８に圧し掛かったり擦れたりしても絶縁部に傷が付くことはない。従って、電力線
の破損を防いで漏電を防止することができる。また、図５には図示されていないが、他片
８ｂの下端部以外にも他片８ｂの上端部や溝７の周縁部も同様に曲面形状に形成すれば、
より効果を高めることができる。
【符号の説明】
【００３２】
１  分電盤
２  箱体
４  主幹ブレーカ
５  分岐ブレーカ
７  溝
７ａ  左縁部
７ｂ  右縁部
７ｃ  後縁部
８Ａ  Ｌ字金具
８Ｂ  Ｌ字金具
８Ｃ  Ｌ字金具
２１  背面板
２２  上側壁
２３  下側壁
２４  左側壁
２５  右側壁
【図１】
2011036037.tif 000003
【図２】
2011036037.tif 000004
【図３】
2011036037.tif 000005
【図４】
2011036037.tif 000006
【図５】
2011036037.tif 000007